(57)【要約】【課題】浄化能力を向上させることのできる浄水カートリッジを得る。【解決手段】流入口２と流出口３とを有するカートリッジケース４と、当該カートリッジケース４の内部の流入口２と流出口３との間に配置され、側壁５３に水の流入部５５が形成される浄化材収納部５２と、を備える浄水カートリッジ１において、カートリッジケース４の側壁４１ｄと浄化材収納部５２の側壁５３との間に、流入口２から流入した水を浄化材収納部５２に供給する水通路１０を設け、カートリッジケース４の側壁４１ｄに、当該側壁４１ｄの内側から浄化材収納部５２の側壁５３に向けて突出し、水通路１０内の水の流れを分散させるリブ１１を設けた。【選択図】図１
2010162497.tif 000002
【特許請求の範囲】
【請求項１】
流入口と流出口とを有するカートリッジケースと、当該カートリッジケースの内部の前記流入口と前記流出口との間に配置され、側壁に水の流入部が形成される浄化材収納部と、を備える浄水カートリッジにおいて、
前記カートリッジケースの側壁と前記浄化材収納部の側壁との間に、前記流入口から流入した水を前記浄化材収納部に供給する水通路を設け、
前記カートリッジケースの側壁に、当該側壁の内側から前記浄化材収納部の側壁に向けて突出し、前記水通路内の水の流れを分散させるリブを設けたことを特徴とする浄水カートリッジ。
【請求項２】
前記リブは、前記水通路内の水通過方向に複数設けられ、それら複数のリブの突出量を、上流側から下流側に向かって段階的に増大させたことを特徴とする請求項１に記載の浄水カートリッジ。
【請求項３】
流入口と流出口とを有するカートリッジケースと、当該カートリッジケースの内部の前記流入口と前記流出口との間に配置され、側壁に水の流入部が形成される浄化材収納部と、を備える浄水カートリッジにおいて、
前記カートリッジケースの側壁と前記浄化材収納部の側壁との間に、前記流入口から流入した水を前記浄化材収納部に供給する水通路を設け、
前記水通路に、当該水通路の幅が上流側から下流側に向かって徐々に狭くなる幅狭通路部を設けたことを特徴とする浄水カートリッジ。
【請求項４】
前記幅狭通路部は、前記カートリッジケースの側壁および前記浄化材収納部の側壁の少なくともいずれか一方を傾斜させることで形成されていることを特徴とする請求項３に記載の浄水カートリッジ。
【請求項５】
前記流入口が前記カートリッジケースの底壁に形成されるとともに、前記浄化材収納部の底壁から側壁に亘って前記水通路に連通する折曲経路が形成されており、前記浄化材収納部の底壁には面取部が設けられていることを特徴とする請求項１〜４のうちいずれか１項に記載の浄水カートリッジ。
【発明の詳細な説明】
【技術分野】
【０００１】
本発明は、浄水カートリッジに関する。
【背景技術】
【０００２】
従来、浄水カートリッジとして、濾過槽の下部と、この濾過槽よりも容量が大きい浄活水層の上部と、を同心円状に重ね合わせ、処理しようとする原水を浄活水層の下端部中央から濾過槽の上端部中央へと向かって流すとともに、浄活水層の内部に邪魔板を適宜配置して水の滞留時間を長くしたものが知られている（例えば、特許文献１参照）。
【先行技術文献】
【特許文献】
【０００３】
【特許文献１】特開２００１−３００５１７号公報
【発明の概要】
【発明が解決しようとする課題】
【０００４】
しかしながら、上記従来の浄水カートリッジでは、浄化水槽の下部中央から流入した原水が浄化水槽の上部中央に配置した濾過槽へと流れる構成となっており、原水が浄化水槽の中央部分の下方から上方へと流れる経路が形成されるため、浄化水槽の下部周囲や上部周囲において浄活水層の利用効率が悪化し、全体的な浄化能力が低下してしまうおそれがある。
【０００５】
そこで、本発明は、浄化能力を向上させることのできる浄水カートリッジを得ることを目的とする。
【課題を解決するための手段】
【０００６】
請求項１の発明にあっては、流入口と流出口とを有するカートリッジケースと、当該カートリッジケースの内部の前記流入口と前記流出口との間に配置され、側壁に水の流入部が形成される浄化材収納部と、を備える浄水カートリッジにおいて、前記カートリッジケースの側壁と前記浄化材収納部の側壁との間に、前記流入口から流入した水を前記浄化材収納部に供給する水通路を設け、前記カートリッジケースの側壁に、当該側壁の内側から前記浄化材収納部の側壁に向けて突出し、前記水通路内の水の流れを分散させるリブを設けたことを特徴とする。
【０００７】
請求項２の発明にあっては、請求項１に記載の浄水カートリッジにおいて、前記リブは、前記水通路内の水通過方向に複数設けられ、それら複数のリブの突出量を、上流側から下流側に向かって段階的に増大させたことを特徴とする。
【０００８】
請求項３の発明にあっては、流入口と流出口とを有するカートリッジケースと、当該カートリッジケースの内部の前記流入口と前記流出口との間に配置され、側壁に水の流入部が形成される浄化材収納部と、を備える浄水カートリッジにおいて、前記カートリッジケースの側壁と前記浄化材収納部の側壁との間に、前記流入口から流入した水を前記浄化材収納部に供給する水通路を設け、前記水通路に、当該水通路の幅が上流側から下流側に向かって徐々に狭くなる幅狭通路部を設けたことを特徴とする浄水カートリッジ。
【０００９】
請求項４の発明にあっては、請求項３に記載の浄水カートリッジにおいて、前記幅狭通路部は、前記カートリッジケースの側壁および前記浄化材収納部の側壁の少なくともいずれか一方を傾斜させることで形成されていることを特徴とする。
【００１０】
請求項５の発明にあっては、請求項１〜４のうちいずれか１項に記載の浄水カートリッジにおいて、前記流入口が前記カートリッジケースの底壁に形成されるとともに、前記浄化材収納部の底壁から側壁に亘って前記水通路に連通する折曲経路が形成されており、前記浄化材収納部の底壁には面取部が設けられていることを特徴とする。
【発明の効果】
【００１１】
請求項１の発明によれば、水通路を通過する水は、カートリッジケースの側壁に設けたリブによって流れが分散されるため、浄化材収納部内に収納された浄化材を全般に亘って効率よく使用することが可能となり、浄化材の利用効率を高めて浄化能力を向上させることができる。
【００１２】
請求項２の発明によれば、水通路内の水通過方向に複数設けたリブの突出量を上流側から下流側に向かって段階的に増大させているため、水の分散効果がさらに高まり、浄化材の利用効率のさらなる向上を図ることができる。
【００１３】
請求項３の発明によれば、水通路に、上流側から下流側に向かって徐々に幅が狭くなる幅狭通路部を設けたため、浄化材収納部の側面から流入する水は上流側から下流側に亘って略均等に分散される。したがって、浄化材収納部内に収納された浄化材を全般に亘って効率よく使用することが可能となり、浄化材の利用効率を高めて浄化能力を向上させることができる。
【００１４】
請求項４の発明によれば、カートリッジケースの側壁や浄化材収納部の側壁を傾斜させることで幅狭通路構成部を形成したため、カートリッジケースや浄化材収納部の既存の構成部品の傾きを変化させればよく、構成の簡素化を図るとともにコストの低減を図ることができる。
【００１５】
請求項５の発明によれば、前記浄化材収納部の底壁に面取部を設けることで、流入口から流入した水が折曲経路から水通路に流れ込み易くなり、浄水カートリッジ内全体に水をよりスムーズに流すことができるようになる。
【図面の簡単な説明】
【００１６】
【図１】本発明の第１実施形態にかかる浄水カートリッジの断面図である。
【図２】本発明の第２実施形態にかかる浄水カートリッジの断面図である。
【図３】本発明の第３実施形態にかかる浄水カートリッジの断面図である。
【図４】本発明の第４実施形態にかかる浄水カートリッジの断面図である。
【図５】本発明の第５実施形態にかかる浄水カートリッジの断面図である。
【図６】本発明の第６実施形態にかかる浄水カートリッジの断面図である。
【発明を実施するための形態】
【００１７】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。
【００１８】
（第１実施形態）図１は、本発明の第１実施形態を示しており、図１は、浄水カートリッジの断面図である。
【００１９】
図１に示すように、本実施形態にかかる浄水カートリッジ１は、一端部（図１中下端部）に原水の流入口２と他端部（図１中上端部）に浄水の流出口３とを有するカートリッジケース４と、このカートリッジケース４の内部の流入口２と流出口３との間に配置される浄化材収納容器（浄化材収納部）５２と、この浄化材収納容器５２の内部に収納される浄化材５と、を備えており、流入口２からカートリッジケース４内に流入した原水が浄化材収納容器５２内の浄化材５を通過して濾過され、濾過された浄水が流出口３から流出されるようになっている。
【００２０】
カートリッジケース４は、上述した浄化材収納容器５２が収納されるロワーケース４１と、中空糸膜６が接着剤１６によって隙間を埋められつつ上端部に固定されたアッパーケース４２とを備えており、ロワーケース４１とアッパーケース４２とを結合することで形成されている。
【００２１】
ロワーケース４１は、下端が底壁（カートリッジケースの底壁）４１ａによって閉塞された有底円筒状に形成されており、その底壁４１ａの中央部に上述の流入口２が形成されている。また、アッパーケース４２は、上端が蓋体４２ａによって閉塞される円筒状に形成されており、その蓋体４２ａの中央部に上述の流出口３が形成されている。そして、ロワーケース４１の上端部内周にアッパーケース４２の下端部外周を超音波溶着等により接合することで、ロワーケース４１とアッパーケース４２とを液密構造をもって固定している。
【００２２】
また、ロワーケース４１の上端部内側に形成した段部４１ｂとアッパーケース４２の下端との間には、浄化材５の収容部と中空糸膜６の収容部とを仕切る中間板７が挟持されている。このとき、段部４１ｂの上面にはロワーケース４１の内周に沿った環状溝４１ｃが形成され、この環状溝４１ｃに嵌合したシールリング８に中間板７が圧接されることにより、中間板７の周縁部での液密性が確保される。
【００２３】
さらに、本実施形態では、中間板７と中空糸膜６との間に不織布１７が配設されており、浄化材５を通過して連通口７２から吐出される水がこの不織布１７によって整流されるようにしている。
【００２４】
また、本実施形態では、浄化材５として活性炭やセラミックを用いており、この浄化材５は下端がエンドプレート（浄化材収納部の底壁）５１によって閉塞された円筒状の浄化材収納容器５２内に収納されている。
【００２５】
浄化材収納容器５２は、エンドプレート５１と、エンドプレート５１の周縁部から立ち上がる筒状側壁（浄化材収納部の側壁）５３と、によって構成されており、筒状側壁５３の内方には、間隔を設けて中心軸上に配置されるセンターパイプ５４が配置されている。そして、筒状側壁５３とセンターパイプ５４との間の空間に浄化材５が充填されている。
【００２６】
本実施形態では、ロワーケース４１と浄化材収納容器５２とセンターパイプ５４とが同心円状に配設されている。
【００２７】
筒状側壁５３は、上端部５３ａと下端部５３ｂを除く側面が大きく開口しており、その開口部５３ｃに、水は通すが浄化材５の通過を阻止するメッシュ（水の流入部）５５が取り付けられている。そして、メッシュ５５を通して原水が浄化材５内に取り込まれるようにしている。また、センターパイプ５４も、筒状側壁５３と同様に上端部５４ｄと下端部５４ｂを除く側面が大きく開口しており、その開口部５４ｅに、水は通すが浄化材５の通過を阻止するメッシュ５６が取り付けられている。浄化材５を通過した水はセンターパイプ５４のメッシュ５６を通過して、中心空洞部５４ａ内に流入される。なお、筒状側壁５３やセンターパイプ５４の側壁に格子状のリブを設け、当該リブによってメッシュを保持するようにしてもよい。
【００２８】
センターパイプ５４の下端部５４ｂは、エンドプレート５１の中央部に上方に向けて突設された嵌合部５１ａに密接嵌合しているとともに、センターパイプ５４の上端５４ｃは、筒状側壁５３の上端５３ｄよりも若干アッパーケース４２方向（図１中上方）に突出しており、その上端５４ｃが中間板７の中心部に同心円状に形成された環状支持溝７１に密接嵌合している。また、環状支持溝７１の中央部には、センターパイプ５４の中心空洞部５４ａをアッパーケース４２の内方に連通する連通口７２が形成されている。
【００２９】
ここで、本実施形態では、ロワーケース４１の側壁（カートリッジケースの側壁）４１ｄの内面と筒状側壁５３の外面との間に、流入口２から流入した原水が下方から上方に向けて流れ、当該原水をメッシュ５５を介して筒状側壁５３に供給する原水通路（水通路）１０が設けられている。そして、原水通路１０の原水通過方向（水通過方向：図１中上下方向）の途中に、ロワーケース４１の側壁４１ｄの内面から筒状側壁５３に向けて所定量突出し、原水の流れを分散させて積極的に浄化材収納容器５２の筒状側壁５３方向に原水を案内するガイド突起（リブ）１１が設けられている。
【００３０】
本実施形態では、原水通路１０がメッシュ５５の外周に同心円状に設けられるとともに、ガイド突起１１がロワーケース４１の内周に沿って連続した環状リブとして突設されている。このとき、ガイド突起１１の内周とメッシュ５５との間には、原水通路１０を流れる原水がガイド突起１１の上流側で浄化材収納容器５２に流入する量と下流側で浄化材収納容器５２に流入する量とに略等しく振り分けられるように隙間δが設けられている。
【００３１】
流入口２には、当該流入口２の下流側近傍を覆う断面台形状の覆い部２１が設けられており、その覆い部２１の傾斜した周囲に複数の開口部２２が形成されている。そして、流入口２から流入した原水は開口部２２を通過して浄化材収納容器５２のエンドプレート５１に沿った方向に振り分けられて原水通路に流入する。したがって、流入口２から原水通路１０に至る原水の流通経路は、浄化材収納容器５２のエンドプレート５１から原水を取り込む浄化材収納容器５２の筒状側壁５３に亘って折曲する折曲経路１２として形成され、原水通路１０に連通している。また、流入口２の覆い部２１の上面には座部２３が突設されており、当該座部２３によってエンドプレート５１の中央部が支持されている。
【００３２】
かかる構成とすることで、浄水カートリッジ１の流入口２からロワーケース４１内に流入した原水は、原水通路１０を流通して筒状側壁５３のメッシュ５５から浄化材収納容器５２内に取り込まれ、浄化材５を通過する間に残留塩素等が除去される。そして、残留塩素等が除去された水がセンターパイプ５４を通過して中心空洞部５４ａに供給され、中心空洞部５４ａ内の濾過された水は中間板７の連通口７２から不織布を介してアッパーケース４２内に流入し、アッパーケース４２に収納された中空糸膜６で細かい汚れや濁りが除去された後、浄水として流出口３から流出される。
【００３３】
以上の本実施形態によれば、ロワーケース４１の側壁４１ｄの内面における原水通路１０の途中に、ロワーケース４１の内側から所定量突出して原水を積極的に浄化材収納容器５２の筒状側壁５３方向に案内して原水の流れを分散させるガイド突起１１を設けることで、原水通路１０を通過する原水がガイド突起１１によって積極的に浄化材収納容器５２の筒状側壁５３方向に案内されるため、浄化材収納容器５２への原水の流れをガイド突起１１の上流側と下流側とに分散させることができる。したがって、浄化材収納容器５２内に収納された浄化材５を全般に亘って効率よく使用することが可能となり浄化材５の利用効率が高まるため、全体的な浄化能力を向上させることができるようになる。
【００３４】
また、浄化材５の利用効率を高めることにより、浄水カートリッジ１のコンパクト化やコストダウンを達成できるとともに、浄水カートリッジ１の長寿命化を図ることができるようになる。
【００３５】
（第２実施形態）図２は、本発明の第２実施形態を示しており、図２は、浄水カートリッジの断面図である。
【００３６】
図２に示すように、本実施形態にかかる浄水カートリッジ１Ａは、基本的に上記第１実施形態の浄水カートリッジ１と同様の構成をしており、ロワーケース４１の側壁４１ｄと筒状側壁５３との間に、流入口２から流入した原水を浄化材収納容器５２に供給する原水通路１０が設けられている。
【００３７】
また、ロワーケース４１の側壁４１ｄの内面における原水通路１０の途中に、所定量突出して原水を積極的に浄化材収納容器５２方向に案内して、原水の流れを分散させるガイド突起１１が設けられている。
【００３８】
ここで、本実施形態が上記第１実施形態と主に異なる点は、ガイド突起（リブ）１１を、原水通過方向に所定間隔をもって複数（１１ａ、１１ｂ…）設け、それら複数のガイド突起１１ａ、１１ｂ…の突出量Ｌ１、Ｌ２…を、上流側から下流側に向かって段階的に増大（…＜Ｌ２＜Ｌ１）させたことにある。
【００３９】
本実施形態にあっても、それぞれのガイド突起１１ａ、１１ｂ…は、ロワーケース４１の内周に沿って連続した環状リブとして突設されている。
【００４０】
以上の本実施形態によっても、上記第１実施形態と同様の作用効果を奏することができる。
【００４１】
また、本実施形態によれば、ガイド突起（リブ）１１を複数設け、それら複数設けたガイド突起１１ａ、１１ｂ…の突出量Ｌ１、Ｌ２…を、上流側から下流側に向かって段階的に増大させたため、原水通路１０を通過する原水は、それぞれのガイド突起１１ａ、１１ｂ…によって分散されて浄化材収納容器５２に段階的に案内されるようになる。したがって、浄化材収納容器５２に流入される原水の分散効果をさらに高めることができ、浄化材５の利用効率のさらなる向上を図ることができる。
【００４２】
（第３実施形態）図３は、本発明の第３実施形態を示しており、図３は、浄水カートリッジの断面図である。
【００４３】
図３に示すように、本実施形態にかかる浄水カートリッジ１Ｂは、基本的に上記第１実施形態の浄水カートリッジ１と同様の構成をしており、ロワーケース４１の側壁と筒状側壁５３との間に、流入口２から流入した原水を浄化材収納容器５２に供給する原水通路１０が設けられている。
【００４４】
したがって、本実施形態にあっても、流入口２からカートリッジケース４内に流入した原水は、ロワーケース４１の内側に設けた原水通路１０を通過して筒状側壁５３のメッシュ５５の外側から浄化材収納容器５２内に取り込まれ、浄化材５で濾過された浄水がアッパーケース４２内の中空糸膜６を通過した後に流出口３から流出される。
【００４５】
ここで、本実施形態が上記第１実施形態と主に異なる点は、ガイド突起１１が設けられることなく、原水通路１０に、当該原水通路１０の幅Ｗが上流側から下流側（図３中下方から上方）に向かって徐々に狭くなる幅狭通路部１３を設けたことにある。
【００４６】
具体的には、幅狭通路部１３は、原水通路１０に面したロワーケース４１の側壁４１ｄの厚さを、底壁４１ａから上端部の段部４１ｂに向かって徐々に厚肉化することにより形成されている。
【００４７】
以上の本実施形態によれば、流入口２からカートリッジケース４内に流入した原水を浄化材収納容器５２に供給する原水通路１０に幅狭通路部１３を設け、原水通路１０の幅Ｗが上流側から下流側に向かって徐々に狭くなるようにしたため、浄化材収納容器５２の外面、すなわち、筒状側壁５３のメッシュ５５から流入する原水の流れが幅狭通路部１３によって上流側から下流側に亘って略均等に分散されるようになる。したがって、浄化材収納容器５２内に収納された浄化材５を全般に亘って効率よく使用することが可能となり浄化材５の利用効率が高まるため、全体的な浄化能力を向上させることができるようになる。
【００４８】
また、本実施形態にあっても上記第１実施形態と同様に、浄水カートリッジ１のコンパクト化やコストダウンを達成できるとともに、浄水カートリッジ１の長寿命化を図ることができる。
【００４９】
（第４実施形態）図４は、本発明の第４実施形態を示しており、図４は、浄水カートリッジの断面図である。
【００５０】
図４に示すように、本実施形態にかかる浄水カートリッジ１Ｃは、基本的に上記第３実施形態の浄水カートリッジ１Ｂと同様の構成をしており、原水通路１０に、原水通路１０の幅Ｗが上流側から下流側に向かって徐々に狭くなる幅狭通路部１３Ａが設けられている。
【００５１】
ここで、本実施形態が上記第３実施形態と主に異なる点は、ロワーケース４１の側壁４１ｄを原水通路１０の幅Ｗが上流側から下流側に向かって徐々に狭くなるように傾斜させることで幅狭通路部１３Ａを構成したことにある。すなわち、本実施形態ではロワーケース４１の側壁４１ｄを厚さを変化させることなく上方に行くに従って徐々に縮径させることで、幅狭通路部１３Ａを形成している。
【００５２】
以上の本実施形態によっても、上記第３実施形態と同様の作用効果を奏することができる。
【００５３】
また、本実施形態によれば、ロワーケース４１の側壁４１ｄの傾斜により幅狭通路部１３Ａを構成しているので、既存の構成部品であるロワーケース４１の傾きを変化させればよく、構成の簡素化を図ることができ、さらなるコストダウンを達成できるようになる。
【００５４】
（第５実施形態）図５は、本発明の第５実施形態を示しており、図５は、浄水カートリッジの断面図である。
【００５５】
図５に示すように、本実施形態にかかる浄水カートリッジ１Ｄは、基本的に上記第３実施形態の浄水カートリッジ１Ｂと同様の構成をしており、原水通路１０に、原水通路１０の幅Ｗが上流側から下流側に向かって徐々に狭くなる幅狭通路部１３Ｂが設けられている。
【００５６】
ここで、本実施形態が上記第３実施形態と主に異なる点は、浄化材収納容器５２の筒状側壁５３を原水通路１０の幅Ｗが上流側から下流側に向かって徐々に狭くなるように傾斜させることで幅狭通路部１３Ｂを構成したことにある。すなわち、本実施形態では筒状側壁５３の径を上方に行くに従って徐々に拡径させることで、幅狭通路部１３Ｂを形成している。
【００５７】
以上の本実施形態によっても、上記第３実施形態と同様の作用効果を奏することができる。
【００５８】
また、本実施形態によれば、筒状側壁５３を傾斜させることで幅狭通路部１３Ｂを構成しているので、既存の構成部品である筒状側壁５３の傾きを変化させればよく、構成の簡素化を図ることができ、さらなるコストダウンを達成できるようになる。
【００５９】
ところで、上記第４実施形態ではロワーケース４１の側壁４１ｄを傾斜させたものを例示し、上記第５実施形態では筒状側壁５３を傾斜させたものを例示したが、ロワーケース４１の側壁４１ｄおよび筒状側壁５３の両者を共に傾斜させて、原水通路１０の幅Ｗを上流側から下流側に向かって徐々に狭くなるように傾斜させることも可能である。
【００６０】
（第６実施形態）図６は、本発明の第６実施形態を示しており、図６は、浄水カートリッジの断面図である。
【００６１】
図６に示すように、本実施形態にかかる浄水カートリッジ１Ｅは、基本的には上記各実施形態と同様の構成をしており、ロワーケース４１の内側に、流入口２から流入した原水を筒状側壁５３のメッシュ５５を介して浄化材収納容器５２内に供給する原水通路１０が設けられている。
【００６２】
なお、本実施形態では、上記第４実施形態と同様に、ロワーケース４１の側壁４１ｄを原水通路１０の幅Ｗが上流側から下流側に向かって徐々に狭くなるように傾斜させている。
【００６３】
また、上記各実施形態と同様に、流入口２から原水通路１０に至る原水の流通経路が、浄化材収納容器５２のエンドプレート５１から原水を取り込む浄化材収納容器５２のメッシュ５５に亘って折曲する折曲経路１２として形成されている。
【００６４】
ここで、本実施形態では、浄化材収納容器５２のエンドプレート（底壁）５１の周縁部に面取部１４が設けられている。
【００６５】
以上の本実施形態によれば、浄化材収納容器５２のエンドプレート５１の周縁部に面取部１４を設けたため、流入口２から流入した原水が折曲経路１２から原水通路１０に流れ込み易くなり、浄水カートリッジ１Ｅ内全体に水をよりスムーズに流すことができるようになる。
【００６６】
なお、本実施形態にかかる面取部１４は、上記第４実施形態に限ることなくその他の実施形態（第１〜第３実施形態および第５実施形態）にあっても適用することができる。
【００６７】
以上、本発明の好適な実施形態について説明したが、本発明は上記実施形態には限定されず、種々の変形が可能である。
【００６８】
例えば、上記各実施形態では浄化材以外に中空糸膜を設けたものを例示したが、中空糸膜が無くてもよく、また、中空糸膜以外の浄化材が設けられていてもよい。すなわち、流入口と流出口を設けたカートリッジケースの内部に、水を濾過または浄化する浄化材が収納されている浄水カートリッジであれば本発明を適用することができる。また、浄化材は活性炭やセラミック以外にも、水を濾過または浄化できる材料を用いてあればよい。
【符号の説明】
【００６９】
１、１Ａ、１Ｂ、１Ｃ、１Ｄ、１Ｅ  浄水カートリッジ
２  流入口
３  流出口
４  カートリッジケース
１０  原水通路（水通路）
１１（１１ａ、１１ｂ…）  ガイド突起（リブ）
１２  折曲経路
１３、１３Ａ、１３Ｂ  幅狭通路部
１４  面取部
４１  ロワーケース（カートリッジケース）
４１ａ  底壁（カートリッジケースの底壁）
４１ｄ  側壁（カートリッジケースの側壁）
５１  エンドプレート（浄化材収納部の底壁）
５２  浄化材収納容器（浄化材収納部）
５３  筒状側壁（浄化材収納部の側壁）
５５  メッシュ（水の流入部）
【図１】
2010162497.tif 000003
【図２】
2010162497.tif 000004
【図３】
2010162497.tif 000005
【図４】
2010162497.tif 000006
【図５】
2010162497.tif 000007
【図６】
2010162497.tif 000008